【手続補正書】
【提出日】平成16年5月21日(2004.5.21)
【手続補正１】
【補正対象書類名】明細書
【補正対象項目名】特許請求の範囲
【補正方法】変更
【補正の内容】
【特許請求の範囲】
【請求項１】
プラントにおける作業計画データを作業計画データ記憶部に登録する作業計画登録部と、上記作業計画データ記憶部に登録された作業計画データを携帯型記憶装置に書き出す作業計画書出部とを有する保守作業情報管理装置と、
保守作業の対象となる場所に設置され、上記携帯型記憶装置に書き込まれた作業計画データを読み取る作業計画読取部と、読み取った作業計画データが判定条件データ記憶部に登録された判定条件データと合致しているか否かに基づいて作業開始の可否を判定する作業開始可否判定手段と、上記作業開始可否判定手段の判定結果を通知する作業開始可否通知部とを有する保守作業情報読取装置と
を備えた保守作業支援装置。
【請求項２】
請求項１に記載の保守作業支援装置において、
上記保守作業情報管理装置と上記保守作業情報読取装置とを有線または無線の通信回線で接続する
ことを特徴とする保守作業支援装置。
【請求項３】
請求項２に記載の保守作業支援装置において、
上記保守作業情報読取装置は、上記作業開始可否判定手段による判定結果を上記保守作業情報管理装置に上記通信回線を介して伝送する作業開始通信部をさらに有すると共に、
上記保守作業情報管理装置は、上記通信回線を介して上記保守作業情報読取装置から伝送される上記作業開始可否判定手段による判定結果を取得する作業開始通信部と、上記作業計画データ記憶部に登録された作業計画データ及び上記作業開始可否判定手段による判定結果に基づいて各保守作業の作業計画及び進捗状況を表示する作業進捗表示部とをさらに有する
ことを特徴とする保守作業支援装置。
【請求項４】
請求項２または３に記載の保守作業支援装置において、
上記保守作業情報管理装置は、上記作業計画登録部により、上記作業計画データ記憶部に登録した作業計画データの内容を変更することを可能とし、上記作業計画通信部により、上記作業計画データ記憶部への作業計画データの登録または変更による最新の作業計画データを上記通信回線を介して上記保守作業情報読取装置に伝送する作業計画通信部をさらに有すると共に、
上記保守作業情報読取装置は、上記通信回線を介して上記保守作業情報管理装置から伝送される最新の作業計画データを取得する作業計画通信部と、受信された最新の作業計画データを記憶する作業計画データ記憶部とをさらに有し、
上記作業開始可否判定手段は、上記判定条件データ記憶部に記憶された判定条件データの代わりに上記作業計画データ記憶部に記憶された最新の作業計画データと上記作業計画読取部から読み取った作業計画データとが合致しているか否かを判定する
ことを特徴とする保守作業支援装置。
【請求項５】
請求項４に記載の保守作業支援装置において、
上記作業開始可否判定手段は、上記作業計画読取部から作業計画データを読み取った時点で上記作業計画通信部を介して上記保守作業情報管理装置から最新の作業計画データを取得し、当該最新の作業計画データと上記作業計画読取部から読み取った作業計画データとが合致しているか否かを判定する
ことを特徴とする保守作業支援装置。
【請求項６】
請求項２ないし５のいずれかに項に記載の保守作業支援装置において、
上記保守作業情報管理装置は、上記作業計画登録部により、プラントにおける作業計画とともに、保守作業開始前に行う必要のあるプラントの運転状態変更に関する情報や作業開始条件を上記作業計画データ記憶部に登録可能とし、プラントと接続しプラントの運転状態を取得する運転状態取得手段と、上記作業計画データ記憶部に登録された作業計画データと上記運転状態取得手段により取得されたプラントの運転状態とから保守作業開始可否を判定する作業開始可否判定手段と、作業開始可否の判定結果を上記通信回線を介して上記保守作業情報読取装置に伝送する作業開始可否通信部とをさらに有すると共に、
上記保守作業情報読取装置は、上記保守作業情報管理装置から伝送された作業開始可否の判定結果と上記作業計画読取部から読み取った作業計画データとに基づいて保守作業が開始可能か否かを判定する作業開始可否判定手段をさらに有する
ことを特徴とする保守作業支援装置。
【請求項７】
プラントにおける保守作業の作業計画データとともに、保守作業開始前に行う必要のあるプラントの運転状態変更に関する情報や作業開始条件と、保守作業者の持つ携帯電話または携帯端末で送受信可能な電子メールのアドレスを作業計画データ記憶部に登録する作業計画登録部と、プラントと接続しプラントの運転状態を取得する運転状態取得手段と、上記作業計画データ記憶部に登録された作業計画データと上記運転状態取得手段により取得されたプラントの運転状態とから保守作業開始可否を判定する作業開始可否判定手段と、上記作業計画データ及び上記作業開始可否の判定結果を送信する作業開始可否情報送信部と、作業開始を通知する作業開始情報を受信する作業開始情報受信部と、上記作業計画データと上記作業開始情報をもとに各保守作業の作業計画及び進捗状況を表示する作業進捗表示部とを有する保守作業情報管理装置を備え、
上記作業開始可否情報送信部及び上記作業開始情報受信部は、インターネットまたはイントラネットと接続され、携帯電話網またはＰＨＳ網を経由して携帯電話または携帯端末と送受信を行うと共に、
上記作業開始可否情報送信部と上記作業開始情報受信部は、電子メールを利用した通知を行う
ことを特徴とする保守作業支援装置。
【請求項８】
プラントにおける保守作業の作業計画データとともに、保守作業開始前に行う必要のあるプラントの運転状態変更に関する情報や作業開始条件と、保守作業者の持つ携帯電話または携帯端末で送受信可能な電子メールのアドレスを作業計画データ記憶部に登録する作業計画登録部と、プラントと接続しプラントの運転状態を取得する運転状態取得手段と、上記作業計画データ記憶部に登録された作業計画データと上記運転状態取得手段により取得されたプラントの運転状態とから保守作業開始可否を判定する作業開始可否判定手段と、上記作業計画データ及び上記作業開始可否の判定結果を送信する作業開始可否情報送信部と、作業開始を通知する作業開始情報を受信する作業開始情報受信部と、上記作業計画データと上記作業開始情報をもとに各保守作業の作業計画及び進捗状況を表示する作業進捗表示部とを有する保守作業情報管理装置を備え、
上記作業開始可否情報送信部及び上記作業開始情報受信部は、インターネットまたはイントラネットと接続され、携帯電話網またはＰＨＳ網を経由して携帯電話または携帯端末と送受信を行うと共に、
上記作業開始可否情報送信部と上記作業開始情報受信部は、ＣＴＩ（Computer Telephony Integration）機能を利用して音声による通知を行う
ことを特徴とする保守作業支援装置。
【請求項９】
請求項７または８に記載の保守作業支援装置において、
上記作業開始通信部は、Ｗｅｂサーバの機能を有し、保守作業者の持つ携帯電話または携帯端末上のＷｅｂブラウザから作業計画データの閲覧と作業開始の登録を行う
ことを特徴とする保守作業支援装置。
【請求項１０】
請求項７ないし９のいずれかに記載の保守作業支援装置において、
上記保守作業情報管理装置は、上記作業開始情報受信部の代わりに、作業計画データをバーコードに変換して保守作業者の持つ携帯電話または携帯端末に送信する作業計画通信部を有すると共に、
保守作業の対象となる場所に設置され、通信回線を介して上記保守作業情報管理装置から伝送されるバーコードを読み取ることが可能で、かつ読み込んだバーコードを作業計画データに変換する作業計画読取部を有する保守作業情報読取装置を備えた
ことを特徴とする保守作業支援装置。
【請求項１１】
請求項１０に記載の保守作業支援装置において、
上記作業計画通信部は、Ｗｅｂサーバの機能を有し、また作業計画データをバーコードに変換したホームページを作成する機能を有し、
保守作業者の持つ携帯電話または携帯端末のＷｅｂブラウザ上で作業計画データをバーコードに変換したホームページを表示する
ことを特徴とする保守作業支援装置。
【請求項１２】
請求項１ないし１１のいずれかに記載の保守作業支援装置において、
上記作業計画登録部は、保守作業の作業計画データ登録時に作業計画データ記憶部から過去の作業計画データを呼び出して修正し登録する
ことを特徴とする保守作業支援装置。
【手続補正２】
【補正対象書類名】明細書
【補正対象項目名】００１６
【補正方法】変更
【補正の内容】
【００１６】
また、上記保守作業情報管理装置は、上記作業開始情報受信部の代わりに、作業計画データをバーコードに変換して保守作業者の持つ携帯電話または携帯端末に送信する作業計画通信部を有すると共に、保守作業の対象となる場所に設置され、通信回線を介して上記保守作業情報管理装置から伝送されるバーコードを読み取ることが可能で、かつ読み込んだバーコードを作業計画データに変換する作業計画読取部を有する保守作業情報読取装置を備えたことを特徴とする。
また、上記作業計画通信部は、Ｗｅｂサーバの機能を有し、また作業計画データをバーコードに変換したホームページを作成する機能を有し、保守作業者の持つ携帯電話または携帯端末のＷｅｂブラウザ上で作業計画データをバーコードに変換したホームページを表示することを特徴とする。